(57)【要約】【課題】  座面の奥行寸法を極めて簡単に調節可能とするとともに、背もたれの前倒しによる折り畳みもワンタッチで可能である車椅子用の背もたれ調整ブラケット並びにこれを具えた車椅子を提供する。【解決手段】  車椅子Ｃの座席本体２と、背もたれ本体３とを連結する器具であり、ブラケット本体５と、座席クランプ６と、背もたれクランプ７とを具えて成る。このうち前記座席クランプ６は、前記座席本体２のフレーム部材１に対して前後に移動自在に設置可能である。一方、前記背もたれクランプ７は、前記背もたれ本体３の背もたれフレーム１３を角度調節自在に支持可能であるとともに、前記ブラケット本体５に対して傾倒自在に接続されていることを特徴とする。【選択図】図１
2007275285.tif 000002
【特許請求の範囲】
【請求項１】
車椅子の座席本体と、背もたれ本体とを連結する器具において、この器具は、ブラケット本体と、座席クランプと、背もたれクランプとを具えて成り、このうち前記座席クランプは、前記座席本体のフレーム部材に対して前後に移動自在に設置可能であり、一方前記背もたれクランプは、前記背もたれ本体の背もたれフレームを角度調節自在に支持可能であるとともに、前記ブラケット本体に対して傾倒自在に接続されていることを特徴とする車椅子用の背もたれ調整ブラケット。
【請求項２】
前記背もたれクランプには、ロック孔が穿孔されており、一方前記ブラケット本体には、前記ロック孔へ差し込むことにより背もたれクランプの傾倒を規制するロックピンが設けられていることを特徴とする請求項１記載の車椅子用の背もたれ調整ブラケット。
【請求項３】
前記ロックピンはスプリングで背もたれクランプ方向に付勢されるものであり、
前記背もたれクランプは、背もたれ本体の折り畳み時から背もたれセット状態に戻す際には、前記ロックピンが背もたれ本体の外周面によって押し戻されるように構成されていることを特徴とする請求項２記載の車椅子用の背もたれ調整ブラケット。
【請求項４】
座席本体と、背もたれ本体と、これら座席本体と背もたれ本体とを接続する前記請求項１、２及び３記載の背もたれ調整ブラケットとを具えたことを特徴とする背もたれ調整ブラケットを具えた車椅子。
【発明の詳細な説明】
【技術分野】
【０００１】
本発明は車椅子用の背もたれ調整ブラケット並びにこれを具えた車椅子に関するものであって、特に座面の奥行き寸法と、背もたれ角度とを調節可能とするとともに、背もたれの傾倒折り畳みをワンタッチで可能とする背もたれ調整ブラケットに係るものである。
【背景技術】
【０００２】
従来車椅子には、背もたれの傾倒角度を調節するリクライニング機構は、設けられているが、座面の奥行寸法を調節できるような機構が設けられた車椅子は、市場で見受けられない。
【０００３】
しかし、その一方で例えば車椅子の利用者の体の状態、疾患の状態、体型、あるいは車椅子の長さや幅に合わせ、座部や背もたれの角度や長さを簡単に調節することができれば、個々の利用者に対してより適切な使用環境を提供することができる。この視点から従来から、座部及び背もたれ部の調節部材が提案されている（特許文献１参照。）。
【０００４】
しかしながら、このものも複数のベルト部材やクッションを用いて座面を形成していくものであるため、座面の調節、構築に非常に時間がかかることが予測される。更に座面を形成するためのベルト部材は、面ファスナーを用いて取り付けられるため、使用前の面ファスナーの剥がれなどを常に注意する必要があると考えられる。このような問題が理由と推察されるが、このような提案を具現した車椅子は、現実に市場には提供されていない。
【０００５】
加えてこの種の車椅子の利用実体を見ると、乗用車で搬送して移動する際には、荷物スペースもそれ程大きく確保できないため、嵩高になりがちな背もたれ部は、少なくとも簡単に前倒し状態に折り畳める構造であることも要求されてくる。
【特許文献１】特開２００５−１３３３１号公報
【発明の開示】
【発明が解決しようとする課題】
【０００６】
本発明はこのような背景からなされたものであって、座面の奥行寸法を極めて簡単に調節可能とするとともに、背もたれの前倒しによる折り畳みもワンタッチで可能である車椅子用の背もたれ調整ブラケット並びにこれを具えた車椅子を実現しようとするものである。
【課題を解決するための手段】
【０００７】
すなわち請求項１記載の車椅子用の背もたれ調整ブラケットは、車椅子の座席本体と、背もたれ本体とを連結する器具において、この器具は、ブラケット本体と、座席クランプと、背もたれクランプとを具えて成り、このうち前記座席クランプは、前記座席本体のフレーム部材に対して前後に移動自在に設置可能であり、一方前記背もたれクランプは、前記背もたれ本体の背もたれフレームを角度調節自在に支持可能であるとともに、前記ブラケット本体に対して傾倒自在に接続されていることを特徴として成るものである。
【０００８】
更に請求項２記載の車椅子用の背もたれ調整ブラケットは、前記請求項１記載の要件に加え、前記背もたれクランプには、ロック孔が穿孔されており、一方前記ブラケット本体には、前記ロック孔へ差し込むことにより背もたれクランプの傾倒を規制するロックピンが設けられていることを特徴として成るものである。
【０００９】
また請求項３記載の車椅子用の背もたれ調整ブラケットは、前記請求項２記載の要件に加え、前記ロックピンはスプリングで背もたれクランプ方向に付勢されるものであり、
前記背もたれクランプは、背もたれ本体の折り畳み時から背もたれセット状態に戻す際には、前記ロックピンが背もたれ本体の外周面によって押し戻されるように構成されていることを特徴として成るものである。
【００１０】
また請求項４記載の背もたれ調整ブラケットを具えた車椅子は、座席本体と、背もたれ本体と、これら座席本体と背もたれ本体とを接続する前記請求項１、２及び３記載の背もたれ調整ブラケットとを具えたことを特徴として成るものである。
【発明の効果】
【００１１】
本発明の車椅子用の背もたれ調整ブラケット並びにこれを具えた車椅子は、上述した手段により以下のような効果を奏するものである。
すなわち請求項１記載の車椅子用の背もたれ調整ブラケットによれば、背もたれの傾倒角度の調節はもちろん、座面の奥行寸法の調整も可能であるため、車椅子の搭乗者の疾患の状態や体型等に合わせた適切な調節が可能である。更にこの座面の奥行寸法を調整する構造が、クランプを用いた構造であるため、安価に実現可能であり、安全で耐久性に優れる。また背もたれの前倒しによる折り畳みも可能である。
【００１２】
更に請求項２記載の車椅子用の背もたれ調整ブラケット並びにこれを具えた車椅子によれば、背もたれクランプの傾倒動作がロックピンにより規制され、使用時に背もたれが倒れてしまうことが防がれる。
【００１３】
また請求項３記載の車椅子用の背もたれ調整ブラケット並びにこれを具えた車椅子によれば、背もたれ本体の折り畳み状態の略ロック状態を維持することができる。
【００１４】
また請求項４記載の背もたれ調整ブラケットを具えた車椅子によれば、背もたれの傾倒角度の調節はもちろん、座面の奥行寸法の調整も可能であるため、車椅子の搭乗者の疾患の状態や体型等に合わせた適切な調節が可能である。更にこの座面の奥行寸法を調整する構造が、クランプを用いた構造であるため、安価に且つ安全に実現可能である。また背もたれの前倒しによる折り畳みも可能である。
【発明を実施するための最良の形態】
【００１５】
本発明の最良の形態は、具体的には以下の実施例に述べるものを一例とするものであり、更にこの技術思想の中において適宜変更し得るものである。
【実施例】
【００１６】
以下本発明を図示の実施の形態に基づき説明する。なお以下の説明にあたっては、まず本発明に係る背もたれ調整ブラケットを具えた車椅子Ｃについて説明し、次いでこの装置の作動状態の説明を行う。
【００１７】
本発明に係る車椅子Ｃは、適宜の金属パイプ等により構成されたフレーム部材１を骨格部材とし、座席本体２と、これに連結される背もたれ本体３とを主要部材として成り、前記座席本体２と、背もたれ本体３とを連結する部材として本発明の特徴的部材である左右一対の背もたれ調整ブラケット４が用いられる。この背もたれ調整ブラケット４は、背もたれ本体３の使用時における背もたれ傾倒角度を調節自在とするとともに、背もたれ本体３を座席本体２に対して折り畳み可能とし、更に座席本体２の座面の奥行寸法ｄを調節可能とするものである。
【００１８】
以下、各部材について詳細に説明する。骨格部材であるフレーム部材１について説明すると、このものは大別して車輪等を支持するメインフレーム１０と、使用者が乗る椅子状部分を構成するチェアフレーム１１とにより構成されている。まずメインフレーム１０は、地上面に沿うように適宜の枠状に構成されたベースメンバー１０１と、このベースメンバー１０１の左右両側から立ち上がるように一体に構成されて側面視アーチ状に構成されたサイドメンバ１０２とを具え、前記サイドメンバ１０２は、その上部内側中央にチェアフレーム吊持ピボット１０３を具える。そしてこのメインフレーム１０は、ベースメンバー１０１の後方寄りにおいて、後述するように後輪２１をリンク機構でクッションを介在させて設けている。一方、ベースメンバー１０１の前方両側部には、キャスター型の前輪２２が設けられている。
【００１９】
このようなメインフレーム１０に対し、側面視Ｌ字状のチェアフレーム１１が組み合わされる。このチェアフレーム１１は、ほぼ水平に平行配置されたシートフレーム１２と、そこからほぼ直角ないしはやや後傾した状態に立ち上がるように設けた背もたれフレーム１３とにより構成され、その両者の間において、本発明の調整ブラケットが介在して両者の結合がなされている。
【００２０】
まずシートフレーム１２は、シートの両側下方に配置されるようなサイド水平フレーム１２１を左右に平行配置するとともに、その先端から下方に垂れ下がるように延長形成されるステップフレーム１２２が設けられる。このステップフレーム１２２には、フットレスト２０が上下動自在に設けられる。なおサイド水平フレーム１２１とステップフレーム１２２とは、相互の角度を調整できるように、リンク状に接続されることが好ましい。そして更に前記サイド水平フレーム１２１を結ぶようにシートサポートフレーム１２３が直交方向に配設され、チェアフレーム１１の全体形状を平面視ほぼ梯子状に構成している。
【００２１】
更に前記サイド水平フレーム１２１は、ほぼ中央部において、ピボットブラケット１２４を上方に延長形成させ、その頂部をメインフレーム１０におけるサイドメンバ１０２のチェアフレーム吊持ピボット１０３に対し、ピン止め状態に接続させる。そしてこのメインフレーム１０と、チェアフレーム１１とは、調整ブレース１２５によってその相互の設定角度を調整し得るように組み立てられている。そしてシートフレーム１２に対し座板２３とマット２４が敷設されて座面２ａが形成される。
【００２２】
一方、シートフレーム１２に接続される背もたれフレーム１３は、基部水平フレーム１３１の両端から上方に、立ち上げフレーム１３２を平行に配設し、更にその上端には、操作グリップ３０を具える。そして背もたれフレーム１３に対しても背板３１とマット３２が張設される。なお前記マット２４、３２は、汎用的な平板状のマットを載置してもよいし、ユーザー個々の体に合わせた凹凸加工したパッドを載置してもよい。
【００２３】
次に本発明の特徴である背もたれ調整ブラケット４について説明する。このものはロッド状のブラケット本体５と、その下端に具えられる座席クランプ６と、上端に具えられる背もたれクランプ７とを具えて成る。
【００２４】
前記ブラケット本体５は、金属製の円筒管を用いるもので、上部には支持ヘッド５０が設けられ、この支持ヘッド５０の回動軸５１に対し前記背もたれクランプ７が回動自在に支持される。支持ヘッド５０には、座席クランプ６の回動を規制するロックピン５２が、ピン孔５０ａ内に移動自在に設けられるものであり、コイルスプリング５５によりロック方向に付勢されるとともに、外端が操作レバー５３の中心付近に回動自在に接続される。操作レバー５３は略Ｌ字状をしており、接続側に溝を有しこの中にロックピン５２を挟み入れ、操作レバー５３の中心付近にてピン５４にてロックピン５２に対して回動自在に接続されている。なおロックピン５２がピン孔５０ａ内において回転自在であることから、操作レバー５３も図２の正面図で示すように回転自在であり、使用者は使い勝手によりどの角度位置からも操作レバー５３を操作できる。
【００２５】
背もたれクランプ７は、先端にクランプ７１を有した傾倒ブロック７０で構成されるものであり、傾倒ブロック７０には、前記ロックピン５２が挿入されるロック孔７０ａが穿孔されている。またクランプ７１は、半円筒状部材２個を固定ネジ７２にて接続する構造のものを一例として用いるものである。この背もたれクランプ７は、前記背もたれフレームの基部水平フレーム１３１を所望の回転角度位置にて支持するものである。
【００２６】
座席クランプ６としては、スリット入りの円筒形のクランプが適用されるもので、この座席クランプ６は、シートフレーム１２のサイド水平フレーム１２１に外嵌めされる。そして座席クランプ６は、固定ネジ６ａが緩められた状態では、サイド水平フレーム１２１を掴んだ状態で前後に移動可能であるとともに、固定ネジ６ａを締め付けることによって適宜位置において固定が可能とされている。
【００２７】
本発明の車椅子用の背もたれ調整ブラケット並びにこれを具えた車椅子の一例は、以上のような具体的形態を有するものであって、以下この使用態様について説明する。
〔Ｉ〕初期調節
背もたれ調整ブラケットによる座席本体と、背もたれ本体との相互関係についての初期調節について説明する。なおこの初期調節は、初めての使用時に行うとともに、適宜体の状態等に合わせて行われるものである。
【００２８】
（１）座面の奥行寸法ｄの調整
背もたれの位置を前後に移動させ、座面の奥行寸法ｄの調整を行う。座面の奥行寸法ｄの調整は、個人の好みにもよるが、膝裏側が座席本体２先端より少し前に出ている位が丁度いい。調整するにあたっては、固定ネジ６ａを緩めた状態で座席クランプ６を前後に移動させ所望の位置で固定ネジ６ａでサイド水平フレーム１２へ固定する。図３に示すものは、図３（ａ）の長い座面の奥行寸法ｄ１を、図３（ｂ）の短い座面の奥行寸法ｄ２に変更した実施例を示す。
【００２９】
（２）背もたれの背もたれ角度調整
背もたれクランプ７のクランプ７１の固定ネジ７２を緩め、背もたれ本体３を傾倒し、背もたれ本体３の座面２ａに対する角度を適宜の好みの角度に調節した後、再度固定ネジ７２で固定する。
【００３０】
（３）その他の調節
その他の調節として足を載置するフットレスト２０の高さ、角度、前後張り出し位置の調節を行う。またチェアフレーム１１のメインフレーム１０に対する係止角度を調節する。具体的には調整ブレースを操作してチェアフレーム吊持ピボット１０３を中心にチェアフレーム１１を回動させ、座面２ａが適宜の傾きとなるように調節する。
【００３１】
〔II〕背もたれ本体の立ち上げ、折り畳み態様
（１）背もたれ本体の立ち上げ
まず車椅子Ｃを使用するにあたっては、座面２ａに折り畳まれた背もたれ本体３を、後方へ回動して立たせる。このときの背もたれ調整ブラケット４の作動態様を図４に基づき説明すると、背もたれ本体３が座面２ａに折り畳まれた状態では、背もたれクランプ７は、図４（ａ）に示すようにコイルスプリング５５によって付勢されるロックピン５２によって軽いロック状態にある。背もたれ本体３を回動して持ち上げられていくと、図４（ｂ）に示すように傾倒ブロック７０の外周面に押されるロックピン５２は、コイルスプリング５５を収縮しながら外側に退去するように移動してゆく。そして背もたれ本体３が立ち上げられた際には、図４（ｃ）に示すように丁度背もたれクランプ７のロック孔７０ａがロックピン５２の個所に位置し、ロックピン５２がコイルスプリング５５により付勢されてロック孔７０ａ内へ嵌挿されロックがなされる。この状態では、背もたれ本体３は前後に傾動しないでその位置で固定される。
【００３２】
（２）背もたれ本体３の折り畳み
車椅子Ｃの使用後や車両への積載時等には、適宜背もたれ本体３を折り畳む。このときの背もたれ調整ブラケット４の作動態様を図５に基づき説明すると、図５（ａ）の背もたれ本体３の立ち上げられた状態では、ロックピン５２がロック孔７０ａ内へ嵌挿されロックがなされた状態である。この状態から背もたれ本体３を折り畳むにあたっては、図５（ｂ）に示されるように操作レバー５３を手で回動してロックピン５２を外側にシフトさせる。なおこの際、梃子の原理を応用してロックピン５２をシフトできるため、コイルスプリング５５の付勢力を強いものを用いた場合にも軽い力でロックピン５２をシフトできる。ロックピン５２をロック孔７０ａから抜いた後、指を放しそのまま背もたれ本体３を回動して折り畳む。折り畳まれた状態では図５（ｃ）に示されるようにコイルスプリング５５によって付勢されるロックピン５２によって、軽いロックがかかった状態となっている。
【図面の簡単な説明】
【００３３】
【図１】本発明の背もたれ調整ブラケットを適用した車椅子を示す斜視図である。
【図２】本発明の背もたれ調整ブラケットを示す側面図と、その一部を示す平面図及び正面図である。
【図３】座面の奥行寸法の調整の様子を示す側面図である。
【図４】背もたれ本体の立ち上げの態様を段階的に示す側面図である。
【図５】背もたれ本体の折り畳みの態様を段階的に示す側面図である。
【符号の説明】
【００３４】
Ｃ        車椅子
１        フレーム部材
２        座席本体
２ａ      座面
３        背もたれ本体
４        背もたれ調整ブラケット
５        ブラケット本体
６        座席クランプ
６ａ      固定ネジ
７        背もたれクランプ
１０      メインフレーム
１０１    ベースメンバ
１０２    サイドメンバ
１０３    チェアフレーム吊持ピボット
１１      チェアフレーム
１２      シートフレーム
１２１    サイド水平フレーム
１２２    ステップフレーム
１２３    シートサポートフレーム
１２４    ピボットブラケット
１２５    調整ブレース
１３      背もたれフレーム
１３１    基部水平フレーム
１３２    立ち上げフレーム
２０      フットレスト
２１      後輪
２２      前輪
２３      座板
２４      マット
３０      操作グリップ
３１      背板
３２      マット
５０      支持ヘッド
５０ａ    ピン孔
５１      回動軸
５２      ロックピン
５３      操作レバー
５４      ピン
５５      コイルスプリング
７０      傾倒ブロック
７０ａ    ロック孔
７１      クランプ
７２      固定ネジ
ｄ        座面の奥行寸法
ｄ１      座面の奥行寸法
ｄ２      座面の奥行寸法
【図１】
2007275285.tif 000003
【図２】
2007275285.tif 000004
【図３】
2007275285.tif 000005
【図４】
2007275285.tif 000006
【図５】
2007275285.tif 000007